(57)【要約】【課題】一個のクリップ装着器で、綴じ枚数の異なる三種以上のクリップを本体内に収納し、必要に応じて所望枚数の用紙を綴じ付けることができるようにした、クリップ装着器である。【解決手段】ベースとカバーから構成されたクリップ装着器の本体内に、綴じ枚数の異なる三種以上のクリップ、及びクリップ押し具の収納部を形成し、本体の前部に用紙の差込口及び拡開バネを設け、本体の前部上方に形成した長孔に、プッシャーを装着し、前記クリップ押具とプッシャーを伸縮コイルバネで連結して成る綴じ枚数の異なる三種以上のクリップを使用可能なクリップ装着器及び同器に用いる薄とじクリップである。【選択図】図１
2009154535.tif 000002
【特許請求の範囲】
【請求項１】
ベースとカバーから構成された、クリップ装着器本体内に綴じ枚数の異なる三種以上のクリップ及びクリップ押し具の収納部を形成し、本体の前端に用紙の差込口を設け、該差込口の両側後部に拡開バネを装着し、カバーの上面に長孔を形成し、前記長孔にプッシャーを前後摺動可能に装着し、前記プッシャーの掛止突部に伸縮コイルバネの一端を掛止し、他端を、収納部内に収納されているクリップ押し具、またはカバーに掛止すると共に、前記クリップ押し具の下面に突設した作動体を、本体下面に形成した溝孔に前後摺動可能に嵌装すると共に、本体下面または上面に、クリップの挿入口を設けて成るクリップ装着器において、本体内の収納部内に、一対の横幅が略１６．２ｍｍに形成された耳ガイド部を設けると共に、前記収納部に挿入する厚とじクリップ及び中とじクリップ並びに薄とじクリップの、それぞれの一対の耳部の横幅寸法をすべて略１６ｍｍに形成して、前後摺動可能に構成して成る、綴じ枚数の異なる三種以上のクリップを使用可能なクリップ装着器及び同器に用いる薄とじクリップ。
【請求項２】
前記の厚とじクリップの折り曲げ部の厚さ寸法を略６．４ｍｍ、中とじクリップの折り曲げ部の厚さ寸法を略５ｍｍ、薄とじクリップの折り曲げ部の厚さ寸法を略２．９ｍｍから略３．９ｍｍに構成されていることを特徴とする、請求項１記載の綴じ枚数の異なる三種以上のクリップを使用可能なクリップ装着器及び同器に用いる薄とじクリップ。
【請求項３】
前記薄とじクリップの、前部に設けたガイド部の厚さ寸法は略１．７ｍｍで、ガイド部に続いて設けられた一対の耳部の横幅寸法は、略１６ｍｍに構成され、後部に形成された折り曲げ部の厚さ寸法は略２．９ｍｍから略３．９ｍｍに構成されて成る、請求項１及び２に記載の綴じ枚数の異なる三種以上のクリップを使用可能なクリップ装着器及び同器に用いる薄とじクリップ。
【請求項４】
本体下面のクリップ挿入口と、これに連通する耳ガイド部の横幅寸法を略１６．２ｍｍに形成し、前記挿入口及び耳ガイド部に挿入する。綴じ枚数の異なる厚とじクリップ、中とじクリップ及び薄とじクリップの、それぞれの耳部の横幅寸法を、前記耳ガイド部の横幅寸法より、略０．２ｍｍ程度小幅に形成して、前記クリップが前記ガイドクリップ内を前後摺動可能に構成して成る、請求項１から3の何れかに記載の綴じ枚数の異なる三種以上のクリップを使用可能なクリップ装着器及び同器に用いる薄とじクリップ。
【請求項５】
本体に設けた収納部にクリップ押し具を装着し、カバー上面にプッシャーを前後摺動自在に装着した連発装置付き自動クリップ装着器において、用紙を綴じる際、クリップを押し出すため、プッシャーの指当て部を押し下げて、クリップの折り曲げ部の後部にプッシャーの押し当て部を当接させてクリップを押し出す際、プッシャーの押し当て部下面が、拡開バネの折りたたみ中心部の水平位置より下方に位置するように構成して成る、請求項１から４に記載の綴じ枚数の異なる三種以上のクリップを使用可能なクリップ装着器及び同器に用いる薄とじクリップ。
【請求項６】
実施例２のクリップ装着器は、ベース２とこのベースを覆うようにカバー3が取り付けられ、このカバー３上にその長手方向にスライドするプッシャー４とから構成されており、この本体内に綴じ枚数の異なる三種以上のクリップを使用可能に改良したクリップ装着器で、本体１の後部には、三種以上のクリップを補給するクリップ挿入口６３が設けられ、この挿入口の上方または下方に、クリップ８を掛止する複数の掛止突起部７２を設けて成る、請求項１から５の何れかに記載の綴じ枚数の異なる三種以上のクリップを使用可能なクリップ装着器及び同器に用いる薄とじクリップ。
【発明の詳細な説明】
【技術分野】
【０００１】
本発明は、本体内に収納された綴じ枚数の異なる三種以上のクリップを、クリップ押具により、順次前方に移動させ、カバーに設けたプッシャーにより繰り出し、このクリップで、書類やカード等を装着することができるようにするクリップ綴じ器において、綴じ枚数の異なる三種以上のクリップを使用可能なクリップ装着器及び同器に用いる薄とじクリップである。
【背景技術】
【０００２】
従来のこの種のクリップ装着器で、本体の下面に小型のクリップ装着器を併設したものがある。（例えば、特許文献１、参照。）
また、前記と同様な複数種類のクリップを使用できるように構成したクリップ装着器がある。（例えば、特許文献２、参照）
更にまた、前記と同様に複数のクリプを使用できるようにした、クリップ装着器もある。（例えば、特許文献３、参照）
【０００３】
また、本願発明と本体が同様なクリップ綴じ器で、クリップ押し具が類似したものもある。（例えば、特許文献4、参照）
更に、一種類の本体で異なるサイズのクリップを使用可能なクリップ綴じ器の類似の文献がある。（例えば、特許文献5、参照）
【０００４】
更にまた、クリップ綴じ器のケースを大型化することなく、ケース内部にクリップを効率よく多数収納することができるクリップ綴じ器を提供することを企画した参考文献がある。（例えば、特許文献６、参照）
【０００５】
以下、特許文献１から６により、従来のクリップ装着器について説明する。
【０００６】
【特許文献１】特許第３４３５５２１号公報（第６頁の「００３０」から「００３３」及び「図１６」）本発明はクリップを用いて書類やカード等を連続して装着することができるほか、ステープラーやパンチ器及び小型のクリップ綴じ器を併設した、「連発装置付きクリップ装着器」に関するものであって、本願出願人の発明によるものである。
【０００７】
この特許公報６頁の「実施例６」の図１６に示すように、大、小のクリップ装着器のベース部３５を背中合わせのように構成したもので、それぞれの本体１のベース部３５が一体的に構成されており、一台で二種類のクリップが使用できるようにしたものである。
【０００８】
しかし、使用できるクリップが二種類のみのため、利便性や魅力性に乏しく、また製造経費が高価になるため、今だに商品化できないものである。
【０００９】
【特許文献２】特許第３３７１８２２号、発明の名称「クリップ装着器」は公開特許公報１頁の「要約」の「課題」の欄に次のように記載されている如く、「単一のクリップ装着器で部品の共有化を図り、複数サイズのクリップを適用できるようにすること。」と述べられている。
【００１０】
そして、「解決手段」として、次のように記載されている。
「所定の綴じ幅を形成する背部１１の両側に連設された挟持片部１２を有する複数サイズのクリップ１０が対象とされている。クリップ装着器１５は、本体ケース１６とこれに収容されて相対回転可能に設けられたホルダー部材１６とを備える。本体ケース１６の先端側には、差し込み口２１が設けられ、当該差し込み口２１の直前位置に前記挟持片部１２を拡開動作させるための二股状分岐バネ２３が設けられているとともに、クリップ１０を順次差し込み口２１から押し出す単一の操作部２４が設けられている。ホルダー部材１７は、周方向三箇所領域に、サイズの異なるクリップ１０をそれぞれ案内する通路９２を有し、当該通路９２は差し込み口２１に選択的に連通するように設けられている。」と、記載されている。
【００１１】
【特許文献３】特許第３４３８６７６号、発明の名称「クリップ装着器」は公開特許公報１頁の要約の「課題」の欄に次のように記載されている如く、「二股状分岐ばねの支持状態を安定させて組立て容易性と故障原因の回避を図ることのできるクリップ装着器を提供する。」と述べられている。
【００１２】
そして、「解決手段」として、次のように記載されている。
「 本体ケース１６の先端側に紙葉類の差し込み口が設けられ、この差し込み口内には、クリップをガイドしながらクリップの挟持片部間を拡開させる一対の二股状分岐ばね２３が配置されている。各二股状分岐ばねは、一対の保持体７０，７０に保持されており、保持体と本体ケースとの間には、常時は保持体を最も接近した位置に保つ板ばね部材６３が配置されている。本体ケース内には、大、中、小サイズのクリップを通過可能に収容する通路１０５〜１０７を備えたホルダー部材１７が配置され、このホルダー部材の先端側と保持体との間には作動機構が設けられている。ホルダー部材を回転させることで、作動機構を介して各保持体相互の相対位置が調整されて二股状分岐ばねの相互離間幅をクリップの横幅サイズに対応させる。」と述べられている。
【００１３】
しかし、前記２件の「クリップ装着器」は、いずれも製品化されていない。
【００１４】
【特許文献４】特開２００７−２９０１７６号、発明の名称「自動クリップ装着器におけるクリップ押具」は従来から使用されているクリップ装着器のクリップ押具の改良であって、本願出願人の発明によるものである。
【００１５】
本発明は、要約の「課題」の欄に述べられている如く、クリップを用いて、用紙を綴じる自動クリップ装置における、クリップ押し具であって、クリップを連続的に綴じ付けることができると共に、装着器本体内にクリップを容易に追加挿入できるようにしたものである。
【００１６】
このクリップ押具は、従来のこの種の製品に比し、構成が合理的で、資材費も少なく、製造組立が簡単なため、安価に提供することができ、特許出願と同時に商品化され使用者に喜ばれているので、本願の特許にも活用したものである。
しかし、この「自動クリップ装着器におけるクリップ押具」は、クリップ押具のみの特許出願であって、本願のものとは、その、目的、構成、効果等すべて異なるものである。
【００１７】
【特許文献５】特開２００３‐３０５９８０号、発明の名称「紙綴具及び紙綴具用クリップ」は、公開特許公報1頁の要約の「課題」の欄に次のように記載されており、「紙の量や厚さに応じて、その紙を綴じるクリップのサイズを変えることができるが、それらクリップを装填する綴具本体は変える必要がない紙綴具を提供する。」と記載されており、本願発明と同様に、三種以上のクリップを使用可能なクリップ装着器を目ざしているように思える。
【００１８】
しかしながら、この特許文献５の紙綴具本体７は全く、そのように構成されておらない。例えば、同出願の図面における「図３のｘ‐ｘ線断面図」のごとく、押しゴマ１２の押し刃部１６の下面が、クリップ開きバネ１１の後端縁部１８の中心線部とほぼ同一の高さに位置しております。
【００１９】
図４に示す断面図において、クリップ１は図面２に示す、（中）の図面が記載されているが、（中）のクリップを綴具本体７に挿入して紙綴じをする場合は紙綴じが可能であるが、図面２に示す（小）クリップを使用する場合は、図２の（小）クリップの下方は、図の如く、背板２の寸法「ｎ」は、（中）の背板２より寸法が低いため、押しコマ１２の押し刃部１６が、クリップ１の背板部２の上端に正確に当接せず、このためクリップ１が前進せず、紙綴じができない。
【００２０】
このため本願のクリップ装着器においては図２に示すごとく、カバー３の前部に装着したプッシャー４がクリップ（図示なし）を前方へ移動する状態に示す縦断面図に示すように、プッシャー４の押し当て部下面３７Ａを下方に延長するように構成し、図２に示すごとく、押し当て部下面３７Ａを拡開バネ１３の折りたたみ中心部４２Ａより下方に位置するようにして薄とじクリップ８Ｃを押し出すようにしたものである。
【００２１】
更にまた、特許文献５の綴具本体７には図４に示すごとく、押し刃部１６の引き出し線の位置に図に示すごとく、突起片が上方に向けて設けられている。この突起片は、従来から販売されている紙綴具には、綴具本体７内に挿入したクリップ１を不用に後退させないように設けたものであるが、図２に示すごとく、クリップ（大）の背板部２が高めに形成されたクリップ（大）においては、この突起片が背板部に当接して、クリップ（大）が前進せず、触指操作ボタン１３を指先で押してもクリップ（大）の背板部２が突起片に当接してクリップが前進せず、紙綴じは絶対に不可能である。
【００２２】
また、本願出願の実施例「１」の如く、自動化されたクリップ装着器においては、突起片は設けてありません。
【００２３】
以上説明した如く、特開２００３‐３０５９８０の「紙綴具及び紙綴具用クリプ」は各図においても従来型の紙綴具そのままの形態であり、クリップについても具体的寸法も記載されておらず、使用不能なため、商品化されておらず、このため、この出願は審査請求されておりません。
【００２４】
【特許文献６】特開２００１‐１６７７号、発明の名称「クリップ綴じ具」は、公開特許公報1頁の要約の「課題」の欄に、「ケースを大型化することなく、ケース内部にクリップを効率良く、多数収納することができて、クリップ補充の煩わしさを解消することができる斬新なクリップ綴じ具を提供する」と記載されてあり。」
【００２５】
更にその「解決手段」として、「ケース１の内部における後半部にクリップ１２を縦向き姿勢で収容可能なクリップ収納室１０を設けるとともに、そのクリップ収納室１０の前方にクリップ１２を縦向き姿勢から横向き姿勢へと変換させるクリップ横倒手段を設けることを特徴とする。」と記載されている。
【００２６】
以上のように引用文献６の「クリップ綴じ器」は図面にも見られるようにケース１内にクリップ１２を縦型に収容したものであり、本願の「綴じ枚数の異なる三種以上のクリップを使用可能なクリップ装着器」とは、その目的、構成、効果等すべて異なるものである。
なお、本件出願の「クリップ綴じ具」は商品化されておらず、出願も取り下げられている。
【発明の開示】
【発明が解決しようとする課題】
【００２７】
以上に述べた、従来の特許文献１のものは、従来からある大、小のクリップ装着器を上下に合わせたように構成したもので、使用できるクリップが二種類のみのため、実用化されないものである。
【００２８】
次に、「特許文献２」及び「特許文献３」のものは、サイズの異なる二種以上のクリップを収容することができ、何れか一つの種類のクリップを任意に選択して、書類等の綴じ込みに利用できるようにしたものであるが、構成が極めて複雑なため、製造が困難で高価になるため、商品化に至っていないもので、本願出願のものとは、その発想の目的、構成、効果等すべて異なるものである。
【００２９】
次の「特許文献４」の「自動クリップ装着器におけるクリップ押し具」は、クリップ押し具の改良で、本出願とは、その目的が全く異なるものである。
更に、「特許文献５」の「紙綴具及び紙綴具用クリップ」は、前記のごとく構成が未完成のため、商品化されておらず、特許権においても、審査請求がされていない。
【００３０】
更に「特許文献６」のクリップ綴じ器は、本体ケース内部にクリップを効率良く多数収納することができるようにしたものであるが、商品化ができず、特許出願も、取り下げられたものである。
【００３１】
本発明は、このような従来の構造が有していた、問題点と欠陥を解決しようとするものであり、構成を簡素化すると共に、資材の節約をはかり、使用操作を容易にすると共に、安価に提供することを目的とするものである。
【課題を解決するための手段】
【００３２】
そして本発明は、上記目的を達成するために、第一の課題解決の手段として、ベースとカバーから構成されたクリップ装着器本体内に、綴じ枚数の異なる三種以上のクリップ、及びこのクリップを前方に押進させる、クリップ押し具の収納部を形成し、本体の前部に用紙の差込口を設け、この差込口の両側後部に拡開バネを装着し、更にカバーの上面に長孔を形成し、前記長孔にプッシャーを前後摺動可能に装着する。
【００３３】
そして、前記プッシャーの掛止突部に伸縮コイルパネの一端を掛止し、他端を収納部内に収納されているクリップ押し具の掛止突部に掛止すると共に、前記クリップ押し具の下面に突設した作動体を、本体下面に形成した溝孔に前後摺動可能に嵌装すると共に、本体下面にクリップの挿入口を設けて成るクリップ装着器において、本体の収納部に、用紙を略５５枚まで綴じることが可能な厚とじクリップ、及び用紙を４０枚程度まで綴じられる中とじクリップ、並びに２０枚程度綴じられる薄とじクリップの、三種のクリップを使用可能に構成した、綴じ枚数の異なる三種以上のクリップを使用可能なクリップ装着器及び同器に用いる薄とじクリップである。
【００３４】
次に第２の課題解決の手段としては、古くから実用化されている、簡易型のクリップ装着器の本体内に前記と同様に、厚とじクリップ、及び中とじクリップ、並びに薄とじクリップの３種類のクリップを、本体内に挿入して、極めて簡単な装置で、綴じ枚数の異なる三種以上のクリップを使用可能なクリップ装着器及び同器に用いる薄とじクリップを提供しようとするものである。
【発明の効果】
【００３５】
本発明は、以上説明した経過、及び以下に説明するように構成されているので、下記に記載されているような効果を奏する。
【００３６】
本願のクリップ装着器は、綴じ枚数の異なる三種以上のクリップを本体内の収納部に挿入できるため、綴じる用紙の枚数に応じて、厚とじクリップ、中とじクリップ、薄とじクリップの三種のクリップが直ちに使用できるので、極めて効率的である。
【００３７】
現在一般的に使用されているクリップ装着器は、綴じる用紙の枚数によって、（大）（中）（小）の三種類の綴じ器を用意しているが、本願のクリップ装着器は、一台で綴じ枚数の異なる三種以上のクリップが使用できるので、従来のごとく、複数の綴じ器を準備する必要もなく、経費の節約をはかるばかりでなく、保管や携帯に誠に便利である。
【００３８】
本発明は従来のこの種の製品に比して、構成がシンプルで、製造組立が簡単なため、コストの低減をはかることができ、安価に提供することができる等の利点がある。
【発明を実施するための最良の形態】
【００３９】
以下本発明の、綴じ枚数の異なる三種以上のクリップを使用可能なクリップ装着器及び同器に用いる薄とじクリップの実施の形態について説明する。
【実施例１】
【００４０】
以下図面を参照して、本発明の実施例１について説明すると、図１から図１７に示すように、このクリップ装着器の本体１は、長方形のベース２と、このベース２を覆うように取り付けられるカバー３とから成り、このカバー３上に、その長手方向に、スライドするプッシャー４。並びにベース２とカバー３によって形成される、ほぼ箱形の収納部５内に摺動可能に挿入される、クリップ押具６と、一対の拡開バネ１３から主に構成されている。
【００４１】
これらベース２、カバー３、プッシャー４、クリップ押具６は、それぞれ合成樹脂で形成されている。またベース２と、カバー３の結合により、その前端に書類等の用紙が挿入される差込口7が形成されている。
このクリップ装着器で使用されているクリップ８は、図６に示すように、金属板や合成樹脂板で構成された矩形の板状体を折り曲げて、その中央部に折り曲げ部9と、それらの先端が、弾性的に接する二つの挟持部１０とを設けた連続体で構成されている。各挟持部１０の先端両側には、拡開用の耳部１１が突出されている。耳部１１を含む各挟持部１０の先端は拡開しやすいように、互いに外方に曲げられたガイド部１２が形成されている。
【００４２】
本実施例１に用いられるとじ枚数の異なる三種のクリップのうち、図７に示す厚とじクリップ８Ａの折り曲げ部９の厚さ寸法は略６．４ｍｍでコピー用紙を１枚から５５枚程度まで綴じることができる。
【００４３】
次に、図８及び図８Ｂに示す、中とじクリップ８の折り曲げ部９の厚さ寸法は約５ｍｍで、コピー用紙を約４０枚程度綴じることができ、更に図９に示す、薄とじクリップ８Ｃの折り曲げ部９の厚さ寸法は、略２．９ｍｍから略３．９ｍｍでコピー用紙を約２０枚程度綴じることができるものである。
【００４４】
なお、この厚とじ用、中とじ用、薄とじ用の三種のクリップ８Ａ、８Ｂ、８Ｃの、耳部１０の一対の横幅サイズは、約１６ｍｍで三種共同様であり、また、図４の、ベース２にクリップを取り付けた平面図に示すように、クリップ８Ａ、８Ｂ、８Ｃの表面寸法は、３種とも略同一である。
【００４５】
ベース２は、図４に示すとおり上面が略皿状に形成され、長手方向先端部の両側に、拡開バネ１３がそれぞれ取り付けられている。
この拡開バネ１３は、図１及び４並びに５に示すように、その断面が略横Ｙ字状をしており、その基部に開けられた挿入孔１４を、ベース２に一体的に立設されたピン１５に挿入することにより固着されている。この挿入孔１４およびピン１５の位置は、拡開バネ１３の側縁と係合して、クリップ８の耳部１１が通るのを邪魔しない位置に設定されている。
【００４６】
またベース２の底面には図４に示すごとく、長手方向に溝１６が形成されており、この溝１６内にクリップ８の折り曲げ部９と、それに続く挟持部１０が嵌入されるようになっている。
溝１６を形成する一体の縁部１７の外側には図１及び図４に示すように、クリップ８の耳部１１を保持する耳ガイド部１８が、拡開バネ１３まで延在している。
【００４７】
また、ベース２の前部両側には、ベース２とカバー３を結合する掛止溝１９を形成し、この掛止溝１９にカバー３の先端両側に形成した掛止片２０を掛止して、ベース２とカバー３を結合する。なおこの結合には掛止溝１９の溝孔２１内に掛止片２０の突起部（図示なし）が嵌入して結合を強くする。
【００４８】
更にベース２に長手方向に形成された溝１６の中央部には、後述するクリップ押し具６下面の作動体２５が突出して摺動する溝孔２７、並びにクリップ押し具６の掛止部２４を掛止する掛合部２８、並びにクリップ８を補給装填するための挿入口２９を設ける。
【００４９】
本体１の収納部５内に、前後摺動可能に嵌装されるクリップ押し具６は、図１４から図１６に示すように、前端に押圧部３０を設けると共に、前部中央に伸縮コイルバネ３１の一端を掛止する掛止突起３２及び中間部下方に作動体２５を突設し、図１４に示すごとく、前側に指掛け部２５Ａ、及び下面に指押し部２５Ｂを併設し、更に両側縁に摺接部３３を形成すると共に、後部上方に伸縮コイルバネ３１の折返し部３４を設けたものである。
【００５０】
次にカバー３は横断面が略逆皿状に形成され、上面に、その略中央部から前部に向かって伸びる長方形の長孔３５を設け、この長孔３５の両側に、プッシャー４を遊装するための摺動縁３６を形成する。
【００５１】
また、クリップ８を押し出すプッシャー４は、図１、図２、図１３に示すように、前端に押し当て部３７を設け、その上面後部に伸縮コイルバネ３１の一端を掛止する掛止突部３８を設けると共に、両側の前部下方に突起部３９を突設し、更に上面に指当て部４０を設け、後部両側に掛止突子４３を設けたものである。
【００５２】
以上のように構成されたプッシャー４を、カバー３の長孔３５の両側に形成した摺動縁３６の下面に、前記突起部３９及び後方の掛止突子４３を嵌装し、前記掛止突子４３の後方をカバー３の両側に設けた突縁部４１に当接させ、伸縮コイルバネ３１の収縮力によりプッシャー４を後方に引張ることにより、プッシャー４の前方部分が常時上方に偏倚されるようにしている。
【００５３】
更にまた、ベース２の後端は、図１に示すように凸部４４が設けてあり、カバー３の後端に形成した凹部４５と相互に係止して、ベース２とカバー３を結合するようにしている。
【００５４】
次に図１に示すように、本体１内に嵌装されたクリップ押し具６の掛止突起３２に、伸縮コイルバネ３１の一端を掛止し、中間部を、クリップ押し具６の折返し部３４に巻掛け経由して、その他端をカバー３の摺動縁３６に嵌装されている、プッシャー４の掛止突部３８に止着連結する。
すると伸縮コイルバネ３１の収縮力により、クリップ押し具６が前進し、押圧部３０がクリップ８をそれぞれ前方に押進し、一方プッシャー４は、反対に後方に引き寄せられて、図１の使用可能状態になる。
【００５５】
次にこの自動クリップ装着器で、書類やカード等をクリップ８で綴じるには、図１の状態で、本体１前端の差込口７に適宜の用紙を差し込んだ後、プッシャー４の指当て部４０に親指を当てると、上方に偏倚されているプッシャー４の前部が降下し、前端の押し当て部３７がその前方にあるクリップ８の折り曲げ部９に当接して、クリップ８を前進させる。
【００５６】
すると、クリップ８先端のガイド部１２が、拡開バネ１３後端の折りたたみ部４２に当接し、これによりガイド部１２が開き始めながら更に前進し、このため、上下２枚のバネ板部４６は、互いに狭くなって、差込口７内の用紙を挟持しはじめ、バネ板部４６の外面を、クリップ８の耳部１１の内側が摺接しながら移行し、バネ板部４６上の通過が終ると、弾力によりバネ板部４６が元の状態に開き、これと同時に、クリップ８はバネ板部４６より外れるため、クリップ８は弾力により用紙を挟みこんで綴じつけるものである。
【００５７】
用紙の綴じ付けが終わって、プッシャー４の指当て部４０から、押圧していた親指をはなすと、プッシャー４は伸縮コイルバネ３１の収縮力により後退し、一方クリップ押し具６は前進して、前方のクリップ８を押進し、図１の状態となり、次の使用に備えられるものである。
【００５８】
次に本願の実施例１のごとく、クリップの挿入及び装着を自動化している連発装置付き自動クリップ装着器においては、前述のごとく、本体１内にクリップ押具６を挿入し、このクリップ押具６と、カバー２に装着したプッシャー４を活用して、自動化をはかっているものである。
【００５９】
このため従来製品の如く、1種類のクリップを使用する場合は差し支えないが、本願のごとく綴じ枚数の異なる三種以上のクリップを使用する場合において、特に薄とじクリップ８Ｃを装着する場合は、図９に示すごとく折りたたみ部９の厚さ寸法が３．９ｍｍ程度と薄いため、プッシャー４の押し当て部３７が、折りたたみ部９に接触しないで、薄とじクリップ８Ｃを押し出さないことがあり、このため、差込口７に挿入した用紙が綴じれないことがある。
【００６０】
このため本願においては、図２に示すごとくカバー３の前部に装着したプッシャー４が、クリップ（図示なし）を前方へ移動する状態に示す縦断面図に示すように、プッシャー４の押し当て部下面３７Ａを下方に少しく延長するように構成し、図２に示すごとく、押し当て部下面３７Ａを、拡開バネ１３の折りたたみ中心部４２Ａより下方に位置するようにして、薄とじクリップ８Ｃを押し出すようにしたものである。
【００６１】
以上のように、プッシャー４を修正することにより、収納部５内に挿入された、厚とじクリップ８Ａ、中とじクリップ８Ｂ及び薄とじクリップ８Ｃが、前述の説明の如く、綴じ枚数の異なる用紙を綴じつけることができるものである。
【００６２】
次にクリップ８を本体１内に補給装填するには、先ず本体１のベース２を図１７のごとくベース２を逆に上向きにした後、溝孔２７内に嵌装されている、クリップ押し具６の作動体２５の指掛け部２５Ａに指先を当てて後方に引き寄せると、クリップ押し具６が、伸縮コイルバネ３１のバネ力に抗して後方に移動する。そしてクリップ押し具６の掛止部２４が、ベース２の掛合部２８の前部に軽い音をたてて掛止して、図１７の状態に停止する。
この状態で図１７に示すように、クリップ８のガイド部１２を、下方に向けて矢印方向にベース２の挿入口２９から、クリップ８を収納部５に順次挿入補給する。
そして規定数量のクリップ８の補給装填が終ったら、クリップ押し具６の作動体２５の指押し部２５Ｂの上面を指先で押すと、掛止部２４がベースの掛合部２８からはずれるため、クリップ押し具６が、伸縮コイルバネ３１の収縮力により前進し、クリップ８全体を前方に押進して、図１のような、次の使用可能の状態になるものである。
【実施例２】
【００６３】
次に図１８から図２０に示す実施例２について説明する。この実施例２は古くから実用化されている簡易型のクリップ装着器に、綴じ枚数の異なる三種以上のクリップを使用可能に改良したクリプ装着器である。
【００６４】
この実施例２のクリップ装着器の本体１は、図１８から２０に示すごとく、長方形のベース２と、このベース２を覆うようにカバー３が取り付けられ、このカバー３上にその長手方向にスライドするプッシャー４とから主に構成されており、上記のベース２、カバー３、プッシャー４は、それぞれ合成樹脂で形成されている。ベース２とカバー３で一体的に形成された本体1の先端には、書類等が挿入される差込口7が形成されている。
【００６５】
このクリップ装着器で使用される図６のクリップ８、及び図７から図１２の、クリップ８Ａ、クリップ８Ｂ並びにクリップ８Ｃは、前述の実施例１で示したものと全く同一のクリップであるので説明を省略する。
【００６６】
本実施例２のベース２は、図２０に示すように、表面が略皿状に形成され、長手方向先端部の両側に、厚とじクリップ８Ａが、この先端部に位置した時、耳部１１を拡開するための拡開バネ１３は、図５に示すように断面がほぼ横Ｙ字状をしており、図２０に示すように、その根本部に設けられた挿入孔１４を、ベース２に立設されたピン１５に挿入することにより支持されている。
【００６７】
この挿入孔１４及びピン１５の位置は、拡開バネ１３の側縁と、係合して、クリップ８の耳部１１が通るのを邪魔しない位置に設定されている。
ベース２にはその長手方向に溝１６が形成されており、この溝１６内にクリップ８Ａ、８Ｂ、８Ｃが挿入される。溝１６の先端側は一段深く溝孔５９が形成され、この溝孔５９には、先頭に位置するクリップ８Ａの折り曲げ部９と、それに続く挟持部１０が落ち込むようになっている。
溝１６を形成する一対の縁部１７の外側にはクリップ８Ａの耳部１１を保持する耳ガイド部１８が拡開バネ１３まで延在している。
【００６８】
ベース２の後端部には、この後端部から先端方向に向かって下方に傾斜して耳ガイド部１８に位置するように一対のガイド突起６０が形成されており、このガイド突起６０の後端部間は後端方向に水平部を有する連結体６１によってつながっている。
また、図２０に示すごとく、ガイド突起６０、６０の内側にコの字状のスリット７０を形成し、前部分７１を溝１６に弾性的に連結して弾性を保有させ、後部を図１８の如く上方に湾曲状に折曲げ、上端にクリプ８の掛止突起部７２を設ける。
なお、図において１５Ａはピンでカバー３の嵌合孔（図示なし）を嵌合されるようになっている。
【００６９】
次にカバー３は、図１８及び１９に示すように、前部分の上面に、プッシャー４が前後摺動するための長孔３５Ａが設けられており、更に、カバー３の後方には、クリップ８を補給する、クリップ挿入口６３が設けられ、クリップ８が脱落しないように、バネ性を持たせた蓋部６４が形成されており、更に同蓋部６４の後部下面にクリップ８を掛止する掛止突起部７２を設ける。
【００７０】
この実施例２の図１９に示すように、カバー３の長孔３５Ａの両側に形成した摺動縁３６Ａ内に、プッシャー４を前後摺動可能に嵌装し、前記摺動縁３６Ａの上面にプッシャー４の指当て部４０の両側が位置するようにしてあり、また図１８に示すごとくプッシャー４の後部に設けた掛止部６９に伸縮コイルバネ３１の前部を掛止し、またコイルバネ３１の後部を、カバー３の下面に設けた掛止突起３２に掛止して、プッシャー４を常時後方に引張るようにしてあり、プッシャー４の前方は指当て部４０に指先を当てて押し下げない限り、常時上方に偏倚されるようになっている。
尚、図において、３７は押し当て部で、クリップ８を押し出すものである。
【００７１】
次にこの実施例２のクリップ装着器の本体１を組立てるには、ベース２の二つのピン１５に、拡開バネ１３の挿入孔１４を取り付け、次いでベース２後端の連結部６５とカバー後端の取付部６６を嵌合させ、次いでベース２とカバー３の前部に形成した帯状溝６２に金属で構成した締止バンド６７を嵌め込めば組立が完了する。
【００７２】
実施例２のクリップ装着器の本体１内にクリップ８を補給するには、クリップ挿入口６３からクリップ８を挿入する。クリップ挿入口６３は蓋部６４によりクリップ８の折曲げ部９より狭くなっているが、この蓋部６４はクリップ８の挿入によって持ち上げられるので僅かな力でクリップ８は挿入できるものである。
【００７３】
以上図１８から図２０に示す実施例２は、上記のように構成されており、これにより差込口７に挿入した書類やカード等をプッシャー４に指先を当ててプッシャー４を押進することにより、厚とじクリップ８Ａ、中とじクリップ８Ｂ、薄とじクリップ８Ｃで、実施例１と同様に用紙を容易に綴じることができるものである。
【００７４】
更にまた、この実施例２のクリップ綴じ器は、綴じ枚数の異なる三種以上のクリップを使用可能に構成したものであるが、前記の如く本体後方のクリップ挿入口６３の上下に、複数の掛止突起部７２を設けてあるので、挿入された三種のクリップが不用意に放出されることもなく、順調にクリップ８の装着ができるものである。
【産業上の利用可能性】
【００７５】
本発明の綴じ枚数の異なる三種以上のクリップを使用可能なクリップ装着器及び同器に用いる薄とじクリップは、本体に設けた収納部に、厚とじ、中とじ、薄とじの三種のクリップを収納して使用が可能であり、このため一台の装着器で、従来品の（大）（中）（小）３台の装着器を使用すると同様な効果を発揮するものであり、産業上の利用価値が高いものである。
【００７６】
なお、クリップ装着器を使用して用紙を綴じる際の綴じ枚数については、段落番号「００４４」及び「００４６」において述べておるが、前記以外の方法においても、例えば、クリップ８の折り曲げ部９の厚さ寸法を増減することにより、クリップ８で綴じる用紙の枚数を増加または減少させることができ、このため前述の厚とじクリップ、中とじクリップ、薄とじクリップの、三種に限ることなく、多種のクリップを活用することができるものである。
【００７７】
本願製品は、従来のこの種の製品に比し、構成が合理的で、資材費も少なく、製造組立が簡単なため、安価に提供することができる等、産業上有効である。
【図面の簡単な説明】
【００７８】
【図１】本発明の綴じ枚数の異なる三種以上のクリップを使用可能なクリップ装着器の縦断面図である。
【図２】同上、本体内に装填したプッシャー及びクリップ押具が、前方へ移動する状態を示す縦断面図である。
【図３】同上、底面図である。
【図４】同上、ベース上面に拡開バネを装着すると共に三種のクリップを載置した平面図である。
【図５】拡開バネの斜視図である。
【図６】クリップの斜視図である。
【図７】厚とじクリップの正面図である。
【図８】中とじクリップの正面図である。
【図９】薄とじクリップの正面図である。
【図１０】厚とじクリップの平面図である。
【図１１】中とじクリップの平面図である。
【図１２】薄とじクリップの平面図である。
【図１３】プッシャーの斜視図である。
【図１４】クリップ押し具の正面図である。
【図１５】同上、正面図中央断面図である。
【図１６】同上、平面図である。
【図１７】クリップを収納部に補給装填する状態の縦断面図である。
【図１８】実施例２における綴じ枚数の異なる三種以上のクリップを収納可能なクリップ装着器の縦断面図である。
【図１９】同上、斜視図である。
【図２０】同上、ベースの上面に、拡開バネを装着すると共に、三種のクリップを載置した平面図である。
【符号の説明】
【００７９】
１    本体
２    ベース
３    カバー
４    プッシャー
５    収納部
６    クリップ押し具
７    差込口
８    クリップ
８Ａ    厚とじクリップ
８Ｂ    中とじクリップ
８Ｃ    薄とじクリプ
９    折り曲げ部
１０    挟持部
１１    耳部
１２    ガイド部
１３    拡開バネ
１４    挿入孔
１５    ピン
１５Ａ    ピン
１６    溝
１７    縁部
１８    耳ガイド部
１９    掛止溝
２０    掛止片
２１    溝孔
２３    切欠き部
２４    掛止部
２５    作動体
２５Ａ    指掛け部
２５Ｂ    指押し部
２７    溝孔
２８    掛合部
２９    挿入口
３０    押圧部
３１    伸縮コイルバネ
３２    掛止突起
３３    摺接部
３４    折返し部
３５    長孔
３６    摺動縁
３７    押し当て部
３７Ａ  押し当て部下面
３８    掛止突部
３９    突起部
４０    指当て部
４１    突縁部
４２    折りたたみ部
４２Ａ  折りたたみ中心部
４３    掛止突子
４４    凸部
４５    凹部
４６    バネ板部
４７    凸状部
５９    溝穴
６０    ガイド突起
６１    連結体
６２    帯状溝
６３    クリップ挿入口
６４    蓋部
６５    連結部
６６    取付部
６７    締止バインダー
６９    掛止部
７０    スリット
７１    前部分
７２    掛止突起部
【図１】
2009154535.tif 000003
【図２】
2009154535.tif 000004
【図３】
2009154535.tif 000005
【図４】
2009154535.tif 000006
【図５】
2009154535.tif 000007
【図６】
2009154535.tif 000008
【図７】
2009154535.tif 000009
【図８】
2009154535.tif 000010
【図９】
2009154535.tif 000011
【図１０】
2009154535.tif 000012
【図１１】
2009154535.tif 000013
【図１２】
2009154535.tif 000014
【図１３】
2009154535.tif 000015
【図１４】
2009154535.tif 000016
【図１５】
2009154535.tif 000017
【図１６】
2009154535.tif 000018
【図１７】
2009154535.tif 000019
【図１８】
2009154535.tif 000020
【図１９】
2009154535.tif 000021
【図２０】
2009154535.tif 000022
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
ベースとカバーから構成された、クリップ装着器本体内に綴じ枚数の異なる三種以上のクリップ及びクリップ押し具の収納部を形成し、本体の前端に用紙の差込口を設け、該差込口の両側後部に拡開バネを装着し、カバーの上面に長孔を形成し、前記長孔にプッシャーを前後摺動可能に装着し、前記プッシャーの掛止突部に伸縮コイルバネの一端を掛止し、他端を、収納部内に収納されているクリップ押し具、またはカバーに掛止すると共に、前記クリップ押し具の下面に突設した作動体を、本体下面に形成した溝孔に前後摺動可能に嵌装すると共に、本体下面に、クリップの挿入口を設けて成るクリップ装着器において、本体内の収納部内に、一対の横幅が略１６．２ｍｍに形成された耳ガイド部を設けると共に、前記収納部に挿入する厚とじクリップ及び中とじクリップ並びに薄とじクリップの、それぞれの一対の耳部の横幅寸法をすべて略１６ｍｍに形成して、前後摺動可能に構成して成る、綴じ枚数の異なる三種以上のクリップを使用可能なクリップ装着器に用いる薄とじクリップにおいて、板状体の前端にガイド部を形状し、その両端に耳部を形成すると共に、その後方の中央部を、コの字状に折りたたんで挟持部１０を形成してなるクリップ装着器に用いる薄とじクリップ。
【請求項２】
前記薄とじクリップの、前部に設けたガイド部の厚さ寸法は略１．７ｍｍで、ガイド部に続いて設けられた一対の耳部の横幅寸法は、略１６ｍｍに構成され、後部に形成された折り曲げ部の厚さ寸法は略２．９ｍｍから略３．９ｍｍに構成されて成る、請求項１のクリップ装着器に用いる薄とじクリップ。
【請求項３】
薄とじクリップ８Ｄの後部の折曲部９の両面に上下２枚の挟持部の弾性を良好にすると共に、各クリップの選別を容易にするため、挟持部後方に、複数の切欠き部２３を設けて成るクリップ装着器に用いる薄とじクリップ。
【手続補正２】
【補正対象書類名】明細書
【補正対象項目名】全文
【補正方法】変更
【補正の内容】
【発明の詳細な説明】
【技術分野】
【０００１】  本発明は、本体内に収納された綴じ枚数の異なる三種以上のクリップを、クリップ押具により、順次前方に移動させ、カバーに設けたプッシャーにより繰り出し、このクリップで、書類やカード等を装着することができるようにする、クリップ装着器に用いる薄とじクリップである。
【背景技術】
【０００２】  従来のこの種のクリップ装着器で、本体の下面に小型のクリップ装着器を併設したものがある。（例えば、特許文献１、参照。）  また、前記と同様な複数種類のクリップを使用できるように構成したクリップ装着器がある。（例えば、特許文献２、参照）  更にまた、前記と同様に複数のクリプを使用できるようにした、クリップ装着器もある。（例えば、特許文献３、参照）【０００３】  また、本願発明と本体が同様なクリップ装着器で、クリップ押し具が類似したものもある。（例えば、特許文献4、参照）  更に、一種類の本体で異なるサイズのクリップを使用可能なクリップ装着器の類似の文献がある。（例えば、特許文献5、参照）【０００４】  更にまた、クリップ装着器のケースを大型化することなく、ケース内部にクリップを効率よく多数収納することができるクリップ装着器を提供することを企画した参考文献がある。（例えば、特許文献６、参照）【０００５】  以下、特許文献１から６により、従来のクリップ装着器について説明する。【０００６】
【特許文献１】特許第３４３５５２１号公報（第６頁の「００３０」から「００３３」及び「図１６」）本発明はクリップを用いて書類やカード等を連続して装着することができるほか、ステープラーやパンチ器及び小型のクリップ装着器を併設した、「連発装置付きクリップ装着器」に関するものであって、本願出願人の発明によるものである。
【０００７】  この特許公報６頁の「実施例６」の図１６に示すように、大、小のクリップ装着器のベース部３５を背中合わせのように構成したもので、それぞれの本体１のベース部３５が一体的に構成されており、一台で二種類のクリップが使用できるようにしたものである。【０００８】  しかし、使用できるクリップが二種類のみのため、利便性や魅力性に乏しく、また製造経費が高価になるため、今だに商品化できないものである。【０００９】
【特許文献２】特許第３３７１８２２号、発明の名称「クリップ装着器」は公開特許公報１頁の「要約」の「課題」の欄に次のように記載されている如く、「単一のクリップ装着器で部品の共有化を図り、複数サイズのクリップを適用できるようにすること。」と述べられている。
【００１０】  そして、「解決手段」として、次のように記載されている。  「所定の綴じ幅を形成する背部１１の両側に連設された挟持片部１２を有する複数サイズのクリップ１０が対象とされている。クリップ装着器１５は、本体ケース１６とこれに収容されて相対回転可能に設けられたホルダー部材１６とを備える。本体ケース１６の先端側には、差し込み口２１が設けられ、当該差し込み口２１の直前位置に前記挟持片部１２を拡開動作させるための二股状分岐バネ２３が設けられているとともに、クリップ１０を順次差し込み口２１から押し出す単一の操作部２４が設けられている。ホルダー部材１７は、周方向三箇所領域に、サイズの異なるクリップ１０をそれぞれ案内する通路９２を有し、当該通路９２は差し込み口２１に選択的に連通するように設けられている。」と、記載されている。【００１１】
【特許文献３】特許第３４３８６７６号、発明の名称「クリップ装着器」は公開特許公報１頁の要約の「課題」の欄に次のように記載されている如く、「二股状分岐ばねの支持状態を安定させて組立て容易性と故障原因の回避を図ることのできるクリップ装着器を提供する。」と述べられている。
【００１２】  そして、「解決手段」として、次のように記載されている。  「 本体ケース１６の先端側に紙葉類の差し込み口が設けられ、この差し込み口内には、クリップをガイドしながらクリップの挟持片部間を拡開させる一対の二股状分岐ばね２３が配置されている。各二股状分岐ばねは、一対の保持体７０，７０に保持されており、保持体と本体ケースとの間には、常時は保持体を最も接近した位置に保つ板ばね部材６３が配置されている。本体ケース内には、大、中、小サイズのクリップを通過可能に収容する通路１０５〜１０７を備えたホルダー部材１７が配置され、このホルダー部材の先端側と保持体との間には作動機構が設けられている。ホルダー部材を回転させることで、作動機構を介して各保持体相互の相対位置が調整されて二股状分岐ばねの相互離間幅をクリップの横幅サイズに対応させる。」と述べられている。【００１３】  しかし、前記２件の「クリップ装着器」は、いずれも製品化されていない。【００１４】
【特許文献４】特開２００７−２９０１７６号、発明の名称「自動クリップ装着器におけるクリップ押具」は従来から使用されているクリップ装着器のクリップ押具の改良であって、本願出願人の発明によるものである。
【００１５】  本発明は、要約の「課題」の欄に述べられている如く、クリップを用いて、用紙を綴じる自動クリップ装置における、クリップ押し具であって、クリップを連続的に綴じ付けることができると共に、装着器本体内にクリップを容易に追加挿入できるようにしたものである。【００１６】  このクリップ押具は、従来のこの種の製品に比し、構成が合理的で、資材費も少なく、製造組立が簡単なため、安価に提供することができ、特許出願と同時に商品化され使用者に喜ばれているので、本願の特許にも活用したものである。  しかし、この「自動クリップ装着器におけるクリップ押具」は、クリップ押具のみの特許出願であって、本願のものとは、その、目的、構成、効果等すべて異なるものである。【００１７】
【特許文献５】特開２００３‐３０５９８０号、発明の名称「紙綴具及び紙綴具用クリップ」は、公開特許公報1頁の要約の「課題」の欄に次のように記載されており、「紙の量や厚さに応じて、その紙を綴じるクリップのサイズを変えることができるが、それらクリップを装填する綴具本体は変える必要がない紙綴具を提供する。」と記載されており、本願発明と同様に、三種以上のクリップを使用可能なクリップ装着器を目ざしているように思える。
【００１８】しかしながら、この特許文献５の紙綴具本体７は全く、そのように構成されておらない。例えば、同出願の図面における「図３のｘ‐ｘ線断面図」のごとく、押しゴマ１２の押し刃部１６の下面が、クリップ開きバネ１１の後端縁部１８の中心線部とほぼ同一の高さに位置しております。【００１９】  図４に示す断面図において、クリップ１は図面２に示す、（中）の図面が記載されているが、（中）のクリップを綴具本体７に挿入して紙綴じをする場合は紙綴じが可能であるが、図面２に示す（小）クリップを使用する場合は、図２の（小）クリップの下方は、図の如く、背板２の寸法「ｎ」は、（中）の背板２より寸法が低いため、押しコマ１２の押し刃部１６が、クリップ１の背板部２の上端に正確に当接せず、このためクリップ１が前進せず、紙綴じができない。【００２０】  このため本願のクリップ装着器においては図２に示すごとく、カバー３の前部に装着したプッシャー４がクリップ（図示なし）を前方へ移動する状態に示す縦断面図に示すように、プッシャー４の押し当て部下面３７Ａを下方に延長するように構成し、図２に示すごとく、押し当て部下面３７Ａを拡開バネ１３の折りたたみ中心部４２Ａより下方に位置するようにして薄とじクリップ８Ｃを押し出すようにしたものである。【００２１】  更にまた、特許文献５の綴具本体７には図４に示すごとく、押し刃部１６の引き出し線の位置に図に示すごとく、突起片が上方に向けて設けられている。この突起片は、従来から販売されている紙綴具には、綴具本体７内に挿入したクリップ１を不用に後退させないように設けたものであるが、図２に示すごとく、クリップ（大）の背板部２が高めに形成されたクリップ（大）においては、この突起片が背板部に当接して、クリップ（大）が前進せず、触指操作ボタン１３を指先で押してもクリップ（大）の背板部２が突起片に当接してクリップが前進せず、紙綴じは絶対に不可能である。【００２２】  また、本願出願の如く、自動化されたクリップ装着器においては、突起片は設けてありません。【００２３】  以上説明した如く、特開２００３‐３０５９８０の「紙綴具及び紙綴具用クリプ」は各図においても従来型の紙綴具そのままの形態であり、クリップについても具体的寸法も記載されておらず、使用不能なため、商品化されておらず、このため、この出願は審査請求されておりません。【００２４】
【特許文献６】特開２００１‐１６７７号、発明の名称「クリップ綴じ具」は、公開特許公報1頁の要約の「課題」の欄に、「ケースを大型化することなく、ケース内部にクリップを効率良く、多数収納することができて、クリップ補充の煩わしさを解消することができる斬新なクリップ綴じ具を提供する」と記載されてあり。
【００２５】  更にその「解決手段」として、「ケース１の内部における後半部にクリップ１２を縦向き姿勢で収容可能なクリップ収納室１０を設けるとともに、そのクリップ収納室１０の前方にクリップ１２を縦向き姿勢から横向き姿勢へと変換させるクリップ横倒手段を設けることを特徴とする。」と記載されている。【００２６】  以上のように引用文献６の「クリップ綴じ具」は図面にも見られるようにケース１内にクリップ１２を縦型に収容したものであり、本願の「クリップ装着器に用いる薄とじクリップ」とは、その目的、構成、効果等すべて異なるものである。  なお、本件出願の「クリップ綴じ具」は商品化されておらず、出願も取り下げられている。
【発明の開示】
【発明が解決しようとする課題】
【００２７】  以上に述べた、従来の特許文献１のものは、従来からある大、小のクリップ装着器を上下に合わせたように構成したもので、使用できるクリップが二種類のみのため、実用化されないものである。【００２８】  次に、「特許文献２」及び「特許文献３」のものは、サイズの異なる二種以上のクリップを収容することができ、何れか一つの種類のクリップを任意に選択して、書類等の綴じ込みに利用できるようにしたものであるが、構成が極めて複雑なため、製造が困難で高価になるため、商品化に至っていないもので、本願出願のものとは、その発想の目的、構成、効果等すべて異なるものである。【００２９】  次の「特許文献４」の「自動クリップ装着器におけるクリップ押し具」は、クリップ押し具の改良で、本出願とは、その目的が全く異なるものである。  更に、「特許文献５」の「紙綴具及び紙綴具用クリップ」は、前記のごとく構成が未完成のため、商品化されておらず、特許権においても、審査請求がされていない。【００３０】  更に「特許文献６」のクリップ装着器は、本体ケース内部にクリップを効率良く多数収納することができるようにしたものであるが、商品化ができず、特許出願も、取り下げられたものである。【００３１】  本発明は、このような従来の構造が有していた、問題点と欠陥を解決しようとするものであり、構成を簡素化すると共に、資材の節約をはかり、使用操作を容易にすると共に、安価に提供することを目的とするものである。
【課題を解決するための手段】
【００３２】  そして本発明は、上記目的を達成するために、第一の課題解決の手段として、ベースとカバーから構成されたクリップ装着器本体内に、綴じ枚数の異なる三種以上のクリップ、及びこのクリップを前方に押進させる、クリップ押し具の収納部を形成し、本体の前部に用紙の差込口を設け、この差込口の両側後部に拡開バネを装着し、更にカバーの上面に長孔を形成し、前記長孔にプッシャーを前後摺動可能に装着する。【００３３】  そして、前記プッシャーの掛止突部に伸縮コイルパネの一端を掛止し、他端を収納部内に収納されているクリップ押し具の掛止突部に掛止すると共に、前記クリップ押し具の下面に突設した作動体を、本体下面に形成した溝孔に前後摺動可能に嵌装すると共に、本体下面にクリップの挿入口を設けて成るクリップ装着器において、本体の収納部に、用紙を略５５枚まで綴じることが可能な厚とじクリップ、及び用紙を４０枚程度まで綴じられる中とじクリップ、並びに２０枚程度綴じられる薄とじクリップの、薄とじクリップである。
【発明の効果】
【００３４】  本発明は、以上説明した経過、及び以下に説明するように構成されているので、下記に記載されているような効果を奏する。【００３５】  本願のクリップ装着器に用いる薄とじクリップは、綴じ枚数の異なる三種以上のクリップを本体内の収納部に挿入できるため、綴じる用紙の枚数に応じて、厚とじクリップ、中とじクリップ、薄とじクリップの三種のクリップが直ちに使用できるので、極めて効率的である。【００３６】  現在一般的に使用されているクリップ装着器は、綴じる用紙の枚数によって、（大）（中）（小）の三種類の装着器を用意しているが、本願のクリップ装着器は、一台で綴じ枚数の異なる三種以上のクリップが使用できるので、従来のごとく、複数の装着器を準備する必要もなく、経費の節約をはかるばかりでなく、保管や携帯に誠に便利である。【００３７】  更にまた、図１３に示す薄とじクリップのごとく、複数の切欠部を設けたため、各クリップの選別に非常に便利である。【００３８】  本発明は従来のこの種の製品に比して、構成がシンプルで、製造組立が簡単なため、コストの低減をはかることができ、安価に提供することができる等の利点がある。
【発明を実施するための最良の形態】
【００３９】  以下本発明の、綴じ枚数の異なる三種以上のクリップを使用可能なクリップ装着器に用いる薄とじクリップの実施の形態について説明する。
【実施例】
【００４０】  以下図面を参照して、本発明の実施例１について説明すると、図１から図１７に示すように、このクリップ装着器の本体１は、長方形のベース２と、このベース２を覆うように取り付けられるカバー３とから成り、このカバー３上に、その長手方向に、スライドするプッシャー４。並びにベース２とカバー３によって形成される、ほぼ箱形の収納部５内に摺動可能に挿入される、クリップ押具６と、一対の拡開バネ１３から主に構成されている。【００４１】  これらベース２、カバー３、プッシャー４、クリップ押具６は、それぞれ合成樹脂で形成されている。またベース２と、カバー３の結合により、その前端に書類等の用紙が挿入される差込口7が形成されている。  このクリップ装着器で使用されているクリップ８は、図６に示すように、金属板や合成樹脂板で構成された矩形の板状体を折り曲げて、その中央部に折り曲げ部9と、それらの先端が、弾性的に接する二つの挟持部１０とを設けた連続体で構成されている。各挟持部１０の先端両側には、拡開用の耳部１１が突出されている。耳部１１を含む各挟持部１０の先端は拡開しやすいように、互いに外方に曲げられたガイド部１２が形成されている。【００４２】  本実施例に用いられるとじ枚数の異なる三種のクリップのうち、図７に示す厚とじクリップ８Ａの折り曲げ部９の厚さ寸法は略６．４ｍｍでコピー用紙を１枚から５５枚程度まで綴じることができる。【００４３】  次に、図８及び図８Ｂに示す、中とじクリップ８の折り曲げ部９の厚さ寸法は約５ｍｍで、コピー用紙を約４０枚程度綴じることができ、更に図９に示す、薄とじクリップ８Ｃの折り曲げ部９の厚さ寸法は、略２．９ｍｍから略３．９ｍｍでコピー用紙を約２０枚程度綴じることができるものである。【００４４】  なお、この厚とじ用、中とじ用、薄とじ用の三種のクリップ８Ａ、８Ｂ、８Ｃ、8Ｄの、耳部１０の一対の横幅サイズは、約１６ｍｍで三種共同様であり、また、図４の、ベース２にクリップを取り付けた平面図に示すように、クリップ８Ａ、８Ｂ、８Ｃ、8Ｄの表面寸法は、４種とも略同一である。【００４５】  ベース２は、図４に示すとおり上面が略皿状に形成され、長手方向先端部の両側に、拡開バネ１３がそれぞれ取り付けられている。  この拡開バネ１３は、図１及び４並びに５に示すように、その断面が略横Ｙ字状をしており、その基部に開けられた挿入孔１４を、ベース２に一体的に立設されたピン１５に挿入することにより固着されている。この挿入孔１４およびピン１５の位置は、拡開バネ１３の側縁と係合して、クリップ８の耳部１１が通るのを邪魔しない位置に設定されている。【００４６】  またベース２の底面には図４に示すごとく、長手方向に溝１６が形成されており、この溝１６内にクリップ８の折り曲げ部９と、それに続く挟持部１０が嵌入されるようになっている。  溝１６を形成する一体の縁部１７の外側には図１及び図４に示すように、クリップ８の耳部１１を保持する耳ガイド部１８が、拡開バネ１３まで延在している。【００４７】  また、ベース２の前部両側には、ベース２とカバー３を結合する掛止溝１９を形成し、この掛止溝１９にカバー３の先端両側に形成した掛止片２０を掛止して、ベース２とカバー３を結合���る。なおこの結合には掛止溝１９の溝孔２１内に掛止片２０の突起部（図示なし）が嵌入して結合を強くする。【００４８】  更にベース２に長手方向に形成された溝１６の中央部には、後述するクリップ押し具６下面の作動体２５が突出して摺動する溝孔２７、並びにクリップ押し具６の掛止部２４を掛止する掛合部２８、並びにクリップ８を補給装填するための挿入口２９を設ける。【００４９】  本体１の収納部５内に、前後摺動可能に嵌装されるクリップ押し具６は、図１４から図１６に示すように、前端に押圧部３０を設けると共に、前部中央に伸縮コイルバネ３１の一端を掛止する掛止突起３２及び中間部下方に作動体２５を突設し、図１４に示すごとく、前側に指掛け部２５Ａ、及び下面に指押し部２５Ｂを併設し、更に両側縁に摺接部３３を形成すると共に、後部上方に伸縮コイルバネ３１の折返し部３４を設けたものである。【００５０】  次にカバー３は横断面が略逆皿状に形成され、上面に、その略中央部から前部に向かって伸びる長方形の長孔３５を設け、この長孔３５の両側に、プッシャー４を遊装するための摺動縁３６を形成する。【００５１】  また、クリップ８を押し出すプッシャー４は、図１、図２、図１３に示すように、前端に押し当て部３７を設け、その上面後部に伸縮コイルバネ３１の一端を掛止する掛止突部３８を設けると共に、両側の前部下方に突起部３９を突設し、更に上面に指当て部４０を設け、後部両側に掛止突子４３を設けたものである。【００５２】  以上のように構成されたプッシャー４を、カバー３の長孔３５の両側に形成した摺動縁３６の下面に、前記突起部３９及び後方の掛止突子４３を嵌装し、前記掛止突子４３の後方をカバー３の両側に設けた突縁部４１に当接させ、伸縮コイルバネ３１の収縮力によりプッシャー４を後方に引張ることにより、プッシャー４の前方部分が常時上方に偏倚されるようにしている。【００５３】  更にまた、ベース２の後端は、図１に示すように凸部４４が設けてあり、カバー３の後端に形成した凹部４５と相互に係止して、ベース２とカバー３を結合するようにしている。【００５４】  次に図１に示すように、本体１内に嵌装されたクリップ押し具６の掛止突起３２に、伸縮コイルバネ３１の一端を掛止し、中間部を、クリップ押し具６の折返し部３４に巻掛け経由して、その他端をカバー３の摺動縁３６に嵌装されている、プッシャー４の掛止突部３８に止着連結する。  すると伸縮コイルバネ３１の収縮力により、クリップ押し具６が前進し、押圧部３０がクリップ８をそれぞれ前方に押進し、一方プッシャー４は、反対に後方に引き寄せられて、図１の使用可能状態になる。【００５５】  次にこの自動クリップ装着器で、書類やカード等をクリップ８で綴じるには、図１の状態で、本体１前端の差込口７に適宜の用紙を差し込んだ後、プッシャー４の指当て部４０に親指を当てると、上方に偏倚されているプッシャー４の前部が降下し、前端の押し当て部３７がその前方にあるクリップ８の折り曲げ部９に当接して、クリップ８を前進させる。【００５６】  すると、クリップ８先端のガイド部１２が、拡開バネ１３後端の折りたたみ部４２に当接し、これによりガイド部１２が開き始めながら更に前進し、このため、上��２枚のバネ板部４６は、互いに狭くなって、差込口７内の用紙を挟持しはじめ、バネ板部４６の外面を、クリップ８の耳部１１の内側が摺接しながら移行し、バネ板部４６上の通過が終ると、弾力によりバネ板部４６が元の状態に開き、これと同時に、クリップ８はバネ板部４６より外れるため、クリップ８は弾力により用紙を挟みこんで綴じつけるものである。【００５７】  用紙の綴じ付けが終わって、プッシャー４の指当て部４０から、押圧していた親指をはなすと、プッシャー４は伸縮コイルバネ３１の収縮力により後退し、一方クリップ押し具６は前進して、前方のクリップ８を押進し、図１の状態となり、次の使用に備えられるものである。【００５８】  次に本願の実施例のごとく、クリップの挿入及び装着を自動化している連発装置付き自動クリップ装着器においては、前述のごとく、本体１内にクリップ押具６を挿入し、このクリップ押具６と、カバー２に装着したプッシャー４を活用して、自動化をはかっているものである。【００５９】  このため従来製品の如く、1種類のクリップを使用する場合は差し支えないが、綴じ枚数の異なる三種以上のクリップを使用する場合において、特に薄とじクリップ８Ｃを装着する場合は、図９に示すごとく折りたたみ部９の厚さ寸法が３．９ｍｍ程度と薄いため、プッシャー４の押し当て部３７が、折りたたみ部９に接触しないで、薄とじクリップ８Ｃを押し出さないことがあり、このため、差込口７に挿入した用紙が綴じれないことがある。【００６０】  このため本願においては、図２に示すごとくカバー３の前部に装着したプッシャー４が、クリップ（図示なし）を前方へ移動する状態に示す縦断面図に示すように、プッシャー４の押し当て部下面３７Ａを下方に少しく延長するように構成し、図２に示すごとく、押し当て部下面３７Ａを、拡開バネ１３の折りたたみ中心部４２Ａより下方に位置するようにして、薄とじクリップ８Ｃを押し出すようにしたものである。【００６１】  以上のように、プッシャー４を修正することにより、収納部５内に挿入された、厚とじクリップ８Ａ、中とじクリップ８Ｂ及び薄とじクリップ８Ｃ及び８Ｄが、前述の説明の如く、綴じ枚数の異なる用紙を綴じつけることができるものである。【００６２】  次にクリップ８を本体１内に補給装填するには、先ず本体１のベース２を図１７のごとくベース２を逆に上向きにした後、溝孔２７内に嵌装されている、クリップ押し具６の作動体２５の指掛け部２５Ａに指先を当てて後方に引き寄せると、クリップ押し具６が、伸縮コイルバネ３１のバネ力に抗して後方に移動する。そしてクリップ押し具６の掛止部２４が、ベース２の掛合部２８の前部に軽い音をたてて掛止して、図１８の状態に停止する。  この状態で図１８に示すように、クリップ８のガイド部１２を、下方に向けて矢印方向にベース２の挿入口２９から、クリップ８を収納部５に順次挿入補給する。  そして規定数量のクリップ８の補給装填が終ったら、クリップ押し具６の作動体２５の指押し部２５Ｂの上面を指先で押すと、掛止部２４がベースの掛合部２８からはずれるため、クリップ押し具６が、伸縮コイルバネ３１の収縮力により前進し、クリップ８全体を前方に押進して、図１のような、次の使用可能の状態になるものである。
【産業上の利用可能性】
【００６３】  本発明のクリップ装着器に用いる薄とじクリップは、本体に設けた収納部に、厚とじ、中とじ、薄とじの三種のクリップを収納して使用が可能であり、このため一台の装着器で、従来品の（大）（中）（小）３台の装着器を使用すると同様な効果を発揮するものであり、産業上の利用価値が高いものである。【００６４】  なお、クリップ装着器を使用して用紙を綴じる際の綴じ枚数については、段落番号「００４２」及び「００４３」において述べておるが、前記以外の方法においても、例えば、クリップ８の折り曲げ部９の厚さ寸法を増減することにより、クリップ８で綴じる用紙の枚数を増加または減少させることができ、このため前述の厚とじクリップ、中とじクリップ、薄とじクリップの、三種に限ることなく、多種のクリップを活用することができるものである。【００６５】  本願特許は紙とじ器本体が１台で、３種類の用紙をとじるため、使用上の混乱を防止するため、図１３に示すように複数の切欠き部２３を設けたので混乱防止に有効であると共に、クリップの弾性補強及びクリップの挿入、取り外しに役立つものである。【００６６】  本願製品は、従来のこの種の製品に比し、構成が合理的で、安価に提供することができる等、産業上有効である。
【図面の簡単な説明】
【００６７】
【図１】綴じ枚数の異なる三種以上のクリップを使用可能なクリップ装着器の縦断面図である。
【図２】同上、本体内に装填したプッシャー及びクリップ押具が、前方へ移動する状態を示す縦断面図である。
【図３】同上、底面図である。
【図４】同上、ベース上面に拡開バネを装着すると共に三種のクリップを載置した平面図である。
【図５】拡開バネの斜視図である。
【図６】クリップの斜視図である。
【図７】厚とじクリップの正面図である。
【図８】中とじクリップの正面図である。
【図９】薄とじクリップの正面図である。
【図１０】厚とじクリップの平面図である。
【図１１】中とじクリップの平面図である。
【図１２】薄とじクリップの平面図である。
【図１３】同上、薄とじクリップの平面図である。
【図１４】プッシャーの斜視図である。
【図１５】クリップ押し具の正面図である。
【図１６】同上、正面図中央断面図である。
【図１７】同上、平面図である。
【図１８】クリップを収納部に補給装填する状態の縦断面図である。
【符号の説明】
【００６８】  １    本体  ２    ベース  ３    カバー  ４    プッシャー  ５    収納部  ６    クリップ押し具  ７    差込口  ８    クリップ  ８Ａ    厚とじクリップ  ８Ｂ    中とじクリップ  ８Ｃ    薄とじクリプ  ８Ｄ    薄とじクリップ  ９    折り曲げ部  １０    挟持部  １１    耳部  １２    ガイド部  １３    拡開バネ  １４    挿入孔  １５    ピン  １５Ａ    ピン  １６    溝  １７    縁部  １８    耳ガイド部  １９    掛止溝  ２０    掛止片  ２１    溝孔  ２３    切欠き部  ２４    掛止部  ２５    作動体  ２５Ａ    指掛け部  ２５Ｂ    指押し部  ２７    溝孔  ２８    掛合部  ２９    挿入口  ３０    押圧部  ３１    伸縮コイルバネ  ３２    掛止突起  ３３    摺接部  ３４    折返し部  ３５    長孔  ３６    摺動縁  ３７    押し当て部  ３７Ａ  押し当て部下面  ３８    掛止突部  ３９    突起部  ４０    指当て部  ４１    突縁部  ４２    折りたたみ部  ４２Ａ  折りたたみ中心部  ４３    掛止突子  ４４    凸部  ４５    凹部  ４６    バネ板部  ４７    凸状部  ５９    溝穴  ６０    ガイド突起  ６１    連結体  ６２    帯状溝
【手続補正３】
【補正対象書類名】図面
【補正対象項目名】全図
【補正方法】変更
【補正の内容】
【図１】
2009154535.tif 000023
【図２】
2009154535.tif 000024
【図３】
2009154535.tif 000025
【図４】
2009154535.tif 000026
【図５】
2009154535.tif 000027
【図６】
2009154535.tif 000028
【図７】
2009154535.tif 000029
【図８】
2009154535.tif 000030
【図９】
2009154535.tif 000031
【図１０】
2009154535.tif 000032
【図１１】
2009154535.tif 000033
【図１２】
2009154535.tif 000034
【図１３】
2009154535.tif 000035
【図１４】
2009154535.tif 000036
【図１５】
2009154535.tif 000037
【図１６】
2009154535.tif 000038
【図１７】
2009154535.tif 000039
【図１８】
2009154535.tif 000040